(57)【要約】【課題】ベストエフォート型通信網を介して電話通信を実現する電話システムにおいて、複数の電話装置を同期を取りつつ着呼報知動作させることの可能な電話システムを提供すること。【解決手段】ＩＰネットワークに時刻同期サーバ３０を接続し、ＮＴＰなどのプロトコルによりＩＰ電話機Ａ〜Ｃの動作時刻を互いに同期させるようにする。これに加えて、報知周期の異なる複数の報知パターンを一定の周期Ｔ内で割り切れるように、すなわち周期Ｔが各報知パターン１〜３の公倍数になるようにすることにより、絶対時間中の周期Ｔの位置を一意に特定できるようにし、さらには周期Ｔ内のパターンの位置も一意に特定することができるようにする。これにより着信パケットの到達がずれても鳴動パターンの同期を取ることができるようになり、ＩＰネットワークなどのベストエフォート型ネットワークにおいてもＩＰ電話機間の着信鳴動音を揃えることが可能になる。【選択図】      図７
2006333218.tif 000002
【特許請求の範囲】
【請求項１】
パケット通信網に接続される複数の電話装置と、これらの複数の電話装置を前記パケット通信網を介して収容して前記複数の電話装置に対する呼接続制御を行う交換装置とを具備する電話システムにおいて、
同じグループに属する複数の電話装置の互いの時刻を同期させる時刻同期手段を具備し、
前記複数の電話装置は、前記交換装置からの前記パケット通信網を介した着信パケットの到達に応じて着呼報知動作を開始する着呼報知手段を備え、
前記同期された時刻を基準とする一定長の周期内で、前記着呼報知動作の報知パターンを同じグループ内の電話装置間で同期させるようにしたことを特徴とする電話システム。
【請求項２】
前記同じグループ内の電話装置が報知周期の互いに異なる複数の報知パターンを備える場合に、前記一定長の周期を各報知パターンの報知周期の公倍数としたことを特徴とする請求項１に記載の電話システム。
【請求項３】
前記時刻同期手段は、マルチキャスト型の同期パケットを前記同じグループに属する複数の電話装置と授受して当該同じグループに属する複数の電話装置の互いの時刻を同期させることを特徴とする請求項１に記載の電話システム。
【請求項４】
パケット通信網に集線装置を介して接続される複数の電話装置と、これらの複数の電話装置を前記パケット通信網を介して収容して前記複数の電話装置に対する呼接続制御を行う交換装置とを具備する電話システムにおいて、
前記集線装置は、自装置に接続される複数の電話装置に一定長の周期の同期信号を与える同期手段を備え、
前記複数の電話装置は、前記交換装置からの前記パケット通信網を介した着信パケットの到達に応じて着呼報知動作を開始する着呼報知手段を備え、
前記着呼報知動作の報知パターンを同じ集線装置に接続される電話装置間で前記一定長の周期内で同期させるようにしたことを特徴とする電話システム。
【請求項５】
前記同じ集線装置に接続される電話装置が報知周期の互いに異なる複数の報知パターンを備える場合に、前記一定長の周期を各報知パターンの報知周期の公倍数としたことを特徴とする請求項４に記載の電話システム。
【発明の詳細な説明】
【技術分野】
【０００１】
この発明は、オフィス内における内線電話システムなどに用いられる電話システムに関する。特に本発明は、ＩＰ（Internet Protocol）を利用して端末間での音声通信を実施する電話システムに関する。
【背景技術】
【０００２】
インターネットなどのベストエフォート型通信網を介して電話通信を実現するシステムが知られている。この種のシステムは既存の回線交換網と対比してＩＰ電話機システム、あるいはＶｏＩＰ（Voice over IP）と称されることもある。この技術は構内電話網などのローカル通信網にも応用されている。以下、この種のシステムにおける電話装置を特にＩＰ電話機と称し、ローカルエリアに形成されるシステムを構内ＩＰ電話機システムと称する。
【０００３】
ところで、一般に電話システムにはグループ着信機能、またはブリッジ型着信と称される機能がある。この機能は１つの呼によって複数の電話装置を一斉に鳴動させるもので、例えばオフィス内の各セクションごとに設定される。グループ着信機能を用いるにあたってはグループ内の電話装置の着呼報知動作（鳴動音やＬＥＤ点滅）が同期していないと、別々の着信が来たとユーザが誤認する虞がある。また耳障りな音を発生させないためにも、グループ内電話装置の動作を同期させることが重要である。ＩＰ技術によらない既存の構内交換システムでは、交換装置と電話装置とが専用回線で接続され電話機制御のほとんどが交換装置側で実施されるために、複数の電話装置の鳴動を容易に同期させることができる。
【０００４】
しかしながらＶｏＩＰシステムにおいては、電話装置がＩＰ（Internet Protocol）網を介して接続されているため、ネットワークの融通性が高いというメリットのある反面、電話装置間の同期を取ることが宿命的に難しい。例えば特許文献１にその対策が開示されているが、この文献は衝突などにより制御情報が消失した場合の対策を開示するものであり、抜本的な解決策を示すものではない。
【特許文献１】特開２００２−３６９２３２号公報
【発明の開示】
【発明が解決しようとする課題】
【０００５】
以上述べたように、ＩＰ網を用いる既存の電話システムには同時着信制御に際して電話装置間の同期を取ることが難しいという不具合があり、何らかの手法の提供が待たれている。  
この発明は上記事情によりなされたもので、その目的は、ベストエフォート型通信網を介して電話通信を実現する電話システムにおいて、複数の電話装置を同期を取りつつ着呼報知動作させることの可能な電話システムを提供することにある。
【課題を解決するための手段】
【０００６】
上記目的を達成するために本発明の一態様によれば、パケット通信網に接続される複数の電話装置と、これらの複数の電話装置を前記パケット通信網を介して収容して前記複数の電話装置に対する呼接続制御を行う交換装置とを具備する電話システムにおいて、同じグループに属する複数の電話装置の互いの時刻を同期させる時刻同期手段を具備し、前記複数の電話装置は、前記交換装置からの前記パケット通信網を介した着信パケットの到達に応じて着呼報知動作を開始する着呼報知手段を備え、前記同期された時刻を基準とする一定長の周期内で、前記着呼報知動作の報知パターンを同じグループ内の電話装置間で同期させるようにしたことを特徴とする電話システムが提供される。  
特にこの発明では、前記同じグループ内の電話装置が報知周期の互いに異なる複数の報知パターンを備える場合に、前記一定長の周期を各報知パターンの報知周期の公倍数とするようにする。
【０００７】
このような手段を講じることにより、グループ内の電話装置で着信パケットの到達に時間差が生じたとしても、この時間差は報知周期内で吸収されるようになる。すなわち着呼報知動作の開始時点に時間差が生じたとしても、鳴動開始後の報知パターンの周期は互いに同期するようになる。従って、耳障りな音を生じることなく、電話装置間の着呼報知動作を同期させることが可能になる。
【発明の効果】
【０００８】
本発明によれば、ベストエフォート型通信網を介して電話通信を実現する電話システムにおいて、複数の電話装置を同期を取りつつ着呼報知動作させることの可能な電話システムを提供することができる。
【発明を実施するための最良の形態】
【０００９】
［第１の実施形態］
図１は、この発明に係わる電話システムの第１の実施形態を示すシステム図である。このシステムはオフィス内などに展開されるもので、交換装置１０と、複数のＩＰ電話機Ａ〜Ｃと、時刻同期サーバ３０とを備える。これらはいずれもＩＰネットワーク２０に接続され、互いにＩＰパケットを授受することが可能である。構内においては、ＩＰネットワーク２０はＬＡＮ（Local Area Network）として実現されることが多い。
【００１０】
ここで、ＩＰ電話機Ａ〜Ｃは同じグループに属するとする。ＩＰ電話機Ａ〜ＣはＬＡＮを介してＩＰパケットによる電話通信を実現し、いわゆるＶｏＩＰシステムを形成する。そのための呼接続、回線確保などの処理は交換装置１０により実行される。時刻同期サーバ３０は汎用のワークステーションに専用のソフトウェアをインストールしてなり、ＳＩＰ（Session Initiation Protocol）を処理可能である場合には特にＳＩＰサーバと称される。  
各ＩＰ電話機Ａ〜Ｃはいずれも内部時計（図示せず）を備え、それぞれの内部時計に同期して動作する。通常では各ＩＰ電話機Ａ〜Ｃの内部時計の同期は外れており、時間の経過とともにそのずれは大きくなる。
【００１１】
図２は、ＩＰ電話機Ａが時刻同期サーバ３０と同期処理を行う際のＩＰネットワーク２０を介した信号の流れを示す図である。ＩＰ電話機Ａから同期を要求する信号（メッセージ）が時刻同期サーバ３０に送信される。これに応じて時刻同期サーバ３０は、同期を行うための情報を含む信号をＩＰ電話機Ａに返送する。この信号をもとにＩＰ電話機Ａは正確な時刻を把握し、内部時計を補正する。このような時刻合わせの処理はＩＰ電話機Ａの内部時計の精度に応じて予め決められた周期で実施され、これを繰り返すことでＩＰ電話機Ａ内の時刻の誤差を一定時間以内に保つことが可能である。なお時刻合わせのプロトコルには、インターネットで用いられるＮＴＰ（Network Time Protocol）などを用いることもできる。  
図３は、ＩＰ電話機Ａ〜Ｃが時刻同期処理を行っている様子を示す模式図である。このように複数のＩＰ電話機Ａ〜Ｃのそれぞれが時刻同期処理を行うことで、ＩＰ電話機Ａ〜Ｃのそれぞれが同じ時刻を（ただし一定の誤差以内で）持つことができる。
【００１２】
図４は、この実施形態における着呼報知パターンの設定を示す模式図である。この実施形態では、ＩＰ電話機Ａ〜Ｃがパターン１〜パターン３の３種類の報知パターン（鳴動音、またはＬＥＤ点滅など）を備えるとする。これらのパターンは、発呼元のユーザの属性（役職など）に応じて切替設定することが可能である。
【００１３】
図４において、パターン１〜パターン３の報知周期は互いに異なる。ただし、パターン１〜パターン３の報知周期の公倍数としての周期Ｔが存在する。すなわち周期Ｔは、パターン１〜パターン３の全てのパターンが余り無く入る長さである。言い換えればこの実施形態では、周期Ｔを定義できるように、パターン１〜パターン３の報知周期を適切に設定するようにする。
【００１４】
図５は、この実施形態における周期Ｔとパターンの長さとの組み合わせを示す図である。この周期Ｔの位置は、ＩＰ電話機Ａ〜Ｃの同期時刻内で特定される。図５において、周期Ｔを６秒とし、毎正分毎にその位置を特定するようにする。すなわち６秒が１分の約数であることを利用し、毎正分内の、０，６，１２，１８，２４，３０，３６，４２，４８，５４，秒を周期Ｔの先頭位置とするようにする。このようにすることで、少ない情報で絶対時間中の周期Ｔの位置を一意に特定できるようになり、さらに周期Ｔ内のパターンの位置も一意に特定することができるようになる。
【００１５】
図６は、この実施形態におけるＩＰ電話機Ａ〜Ｃでの鳴動音の発生に係わる処理手順を示すフローチャートである。ＬＥＤ（発光ダイオード）の点滅動作も基本的には同様の処理手順に従う。図６において、常に時刻補正されている内部時計の情報をベースとし、周期Ｔの位置特定情報、および周期Ｔ内のパターン情報に基づいてパターンの再生指示信号が送信される。
【００１６】
パターンの再生指示信号は、周期Ｔ内のパターンの位置をパターン情報から算出した結果により送出される。周期Ｔ内のタイミングを特定するには内部クロックが用いられる。ＩＰ電話機内のパターン再生モジュールは再生指示信号に従ってパターンを再生するが、同期信号のひずみも考慮して、再生信号が受信されるタイミングで常にパターンの冒頭から再生するようにする（ステップＳ１）。この処理は、再生開始指示がなくなるまで繰り返され（ステップＳ２）、再生開始指示がなくなると表示パターンの再生が終了する（ステップＳ３）。通常は、再生時間と指示間隔はずれることは無いので正常に鳴動パターンが繰り返されるが、時刻補正などによりパターン指示タイミングに一時的な歪が発生した場合でも、後にずれを引きずることなく、鳴動音を繰り返し再生することが可能である。
【００１７】
図７は、実際に着信などのイベントが発生した際の鳴動音の開始タイミングを示す模式図である。周期Ｔ内の或る位置において着信が発生したとする（図中下向き矢印）。そうすると、パターン１、パターン２、パターン３のいずれにおいても、それらのパターンの先頭に至った時点から鳴動が開始される（図中三角印で示す位置）。最初の鳴動パターンが開始するまでの間は基本的に無音となるが、１パターンの時間の長さを比較的短くすることで、耳障りな音や違和感を生じることは無く、複数のＩＰ電話機が同期して鳴動・あるいはＬＥＤ点滅による着呼報知動作をすることができる。なおパターン１〜パターン３の報知周期と周期Ｔとを決めるにあたり以下の点に留意する必要がある。
【００１８】
まず、周期Ｔがパターン１〜パターン３の報知周期の公倍数となっていないとすると、周期Ｔ内のパターンの開始位置が複数ケース存在することになり、周期Ｔでのパターン開始は行えても、周期Ｔ内の任意のパターン位置でパターンの再生を開始することができなくなってしまう。パターン１〜３のそれぞれに同期信号を生成する方法もあるが、専用の配線が必要であったり複数の信号用小パケットが必要となり現実的でない。また周期Ｔは複数のパターンの公倍数であることから、比較的長い値（数秒〜十数秒）となることが予想されるので、Ｔの周期を待って鳴動音を開始していてはユーザの違和感が大きくなってしまう。逆に周期Ｔを短くし、頭だけを周期Ｔに合わせるという方法では、結局着信時の呼信号のずれにより、鳴動パターンがずれることになってしまうため意味が無い。すなわちこの発明の目的を達成するには、鳴動開始の頭位置を決定するのではなく、鳴動パターンの絶対位置を特定することが重要である。このことから、全てのパターンが周期Ｔの位置から一意に特定できる位置に存在する必要があり、従って、全てのパターンの公倍数がＴとなっていることが必須条件となる。
【００１９】
以上のことから、余り中途半端な長さのパターンが多く存在すると、公倍数である周期Ｔが長くなるので、パターンの長さについては、実用可能な範囲である程度制約を持たせることが必要である。なお、周期Ｔ内の時間は内部クロックにより補完されるので、周期Ｔが長くなるとその後半での誤差が大きくなり、鳴動の同期状態に違和感が発生する可能性が高くなることに注意を要する。
【００２０】
図８は、比較のため既存の企業用交換システムの基本構成を示す図である。図８においては、複数の電話端末Ａ〜Ｃが専用の回線により交換装置１０に直接接続される。着信時においては、鳴動音の指示やＬＥＤの点滅パターンの指示などの、全ての動作指示が専用回線を介して交換装置１０から詳細に行われる。すなわち着信時の鳴動音のＯＮ／ＯＦＦ操作や、同時に点滅するＬＥＤの点滅動作なども、交換装置１０側でＯＮ／ＯＦＦの細かい指示を行うことにうより実現される。
【００２１】
図９は、図８のシステムにおいて電話機Ａ〜Ｃへのグループ着信（ブリッジによる着信）が生じた際に、各電話端末Ａ〜Ｃで実施される鳴動やＬＥＤのＯＮ／ＯＦＦパターンを示す図である。図８に示すように全ての操作が専用回線を介して交換装置１０の処理により行われるため、端末Ａ〜Ｃの動作を同期させることは非常に容易である。
【００２２】
図１０は、ＩＰネットワーク技術を用いた企業用交換システムの基本構成を示す図であり、この発明の対象とするシステムを示す。図１０において交換装置１０およびＩＰ電話機Ａ〜ＣはいずれもＩＰネットワーク２０を介して接続される。図８に比べるとＩＰ電話機Ａ〜Ｃは、交換装置１０に対するダムターミナル（dumb terminal）としての立場からより高度化し、制御機能を持つ独立した端末としての位置付けにある。
【００２３】
ＩＰネットワーク１０の接続インタフェースは、イーサネット（登録商標）による接続とＩＰパケットによる通信との組み合わせなど、汎用的である。またインターネットで培われた技術により、ＩＰ電話機の移動や、任意のＩＰ電話機でのログイン機能など、非常に融通性の高いシステムを構築することができる。さらには、これまではデータ系・音声系の２系統の設備を準備しなければならなかった環境から、全てデータ系ネットワーク（ＩＰネットワーク）による統一化を行うことも可能なソリューションを提供することができるようになる。しかしながらその一方で、図１１に示すように、従来の交換システムでは当たり前のようにできていた複数ＩＰ電話機間の鳴動やＬＥＤ点滅の同期が簡単にはとれなくなってしまうという問題がある。
【００２４】
図１１は、図１０の各ＩＰ電話機Ａ〜Ｃのそれぞれの鳴動パターンおよびＬＥＤ表示パターンの一例を示す図である。ＩＰネットワーク２０を経由することにより、交換装置１０からの着信信号（着信パケット）の到達時刻はＩＰ電話機Ａ〜Ｃごとにばらばらになる。表示パターンの再生は着信パケットの到達後直ちに開始されるので、鳴動音やＬＥＤの点滅周期がずれることとなる。
【００２５】
企業内の交換システムでは、オフィスの複数の机上に複数の電話機をそれぞれ配置し、グループを組んで着信を行うケースが多い。通常着信があった際には、グループ内でその時に着席しているメンバーが代表となり応答を行うため、グループ内の電話機は、着信で全てが鳴動する必要があるが、近くに配置された複数の電話機がばらばらのタイミングで鳴動した場合、複数の着信があるように聞こえたり、また耳障りである。従って、グループを組む複数の電話機への着信では、如何に全ての電話機が同期して鳴動すること、また併せてＬＥＤも同期して点滅することが望まれる。
【００２６】
これに対しこの実施形態では、ＩＰネットワークに時刻同期サーバ３０を接続し、ＮＴＰなどのプロトコルによりＩＰ電話機Ａ〜Ｃの動作時刻を互いに同期させるようにする。これに加えて、報知周期の異なる複数の報知パターンを一定の周期Ｔ内で割り切れるように、すなわち周期Ｔが各報知パターン１〜３の公倍数になるようにすることにより、絶対時間中の周期Ｔの位置を一意に特定できるようにし、さらには周期Ｔ内のパターンの位置も一意に特定することができるようにする。これにより着信パケットの到達がずれても鳴動パターンの同期を取ることができるようになり、ＩＰネットワークなどのベストエフォート型ネットワークにおいてもＩＰ電話機間の着信鳴動音を揃えることが可能になる。
【００２７】
［第２の実施形態］
図１２は、この発明に係わる電話システムの第２の実施形態を示すシステム図である。なお図１２において図１と共通する部分には同一の符号を付して示し、ここでは異なる部分についてのみ説明する。ＩＰネットワーク２０を用いるシステムでは、通常、ＩＰ電話機を収容するためにハブ装置（Ｈｕｂ）などの集線装置が設けられる。この実施形態では、ハブ装置に同期信号の送出機能を設けるようにする。併せて、ＩＰ電話機側においてもハブ装置４０から送信される同期信号を受信して動作の周期処理に反映する機能を設ける。
【００２８】
同期信号を分配するには、ハブ装置４０とＩＰ電話機Ａ〜Ｃとの間に専用の信号線を配置し、独立した電気信号として同期信号を送出する方式、あるいは、特別な電気信号線を配置することなく、専用の小パケットを周期的に送信することで同期信号とする方式などが考えられる。図１２は、ハブ装置４０と各ＩＰ電話機Ａ〜Ｃとの間に同期のための信号（専用の電気信号あるいは小パケット）が流れる様子を模式的に示す。
【００２９】
図１３は、図１２のシステムにおいて用いられる同期信号を示す図である。このように、同期信号は一定の周期Ｔの間隔で送信される。第１の実施形態と同じように、周期ＴはＩＰ電話機Ａ〜Ｃが着呼報知動作を開始するきっかけとなるタイミングを示すが、一つの信号で複数の異なるパターンを実施するには周期Ｔの時間長が各パターンの時間長に影響する。
【００３０】
図１４は、周期Ｔと着呼報知パターン１〜３の長さとの組み合わせを示す図である。鳴動パターン１は鳴動１０００ｍｓｅｃ、停止２０００ｍｓｅｃの３秒周期、鳴動パターン２は鳴動５００ｍｓｅｃ、停止５００ｍｓｅｃの１秒周期、パターン３は鳴動４０ｍｓｅｃ、停止８０ｍｓｅｃの１２０ｍｓｅｃ周期のパターンである。この時、周期Ｔは６秒＝６０００ｍｓｅｃが設定されており、全てのパターンの公倍数となっている。第１の実施形態と同様に周期Ｔと鳴動パターンとの間には公倍数の関係があるが、特にこの実施形態では、周期Ｔを直接同期信号のかたちでＩＰ電話機Ａ〜Ｃに与えるようにする。このように本実施形態においても第１の実施形態と同様に、基本周期Ｔを用いることにより鳴動パターン・ＬＥＤ点滅パターンの位置を最終的に一意に特定することが可能となる。
【００３１】
図１５は、この実施形態におけるＩＰ電話機Ａ〜Ｃでの鳴動音の発生に係わる処理手順を示すフローチャートである。ＬＥＤの点滅動作も基本的には同様の処理に従う。図１５において、ＩＰ電話機Ａ〜Ｃがハブ装置４０からの周期Ｔ信号を検出すると、この信号をもとにパターンの再生指示信号が鳴動音の再生モジュールに送られる。パターンの再生指示信号は、周期Ｔ内のパターンの位置をパターン情報から算出した結果により送出される。その際、周期Ｔ内のタイミングを特定するために内部クロックが用いられる。パターン再生モジュールは再生指示信号に従ってパターンを再生するが、同期信号のひずみも考慮し、再生は再生信号が受信されるタイミングで常にパターンの冒頭から再生する（ステップＳ１）。この処理は再生開始指示がなくなるまで繰り返され（ステップＳ２）、再生開始指示がなくなると表示パターンの再生が終了する（ステップＳ３）。通常は、再生時間と指示間隔はずれることは無いので正常に鳴動パターンが繰り返されるが、ステップＳ〜ステップＳ３の処理により、何らかの原因で信号が歪んだ場合でもずれをひきずることなく鳴動音を繰り返すことができる。なお時刻同期のタイミングは、周期Ｔの位置特定の誤差が一定値以内になるように特定の周期で行われる。これにより、誤差による最終的なパターンのずれが、耳障りであったり、違和感を持つようなものとならないようにできる。
【００３２】
図１６では、この実施形態における他のシステム構成を示す図である。図１６は同期すべきグループのＩＰ電話機Ａ〜Ｉが、さらに異なるハブ装置５１〜５３に収容されるケースを想定するものである。このようなシステム形態では、ＩＰネットワーク２０を構成する全てのハブ装置４０，５１〜５３が同じ信号で同期するようにする。ここではＩＰ電話機Ａ〜Ｉを収容するハブ装置５１〜５３に、上位のハブ装置４０からの同期信号を受け、この同期信号をＩＰ電話機Ａ〜Ｉに配信する機能を備えるようにする。逆に、上位装置（上位ハブ装置／スイッチ・ルータなど）においては、下位のハブ装置に向けた同期信号を送信する機能を設けるようにする。
【００３３】
図１２では、ＩＰ電話機Ａ〜Ｃを収容するハブ装置４０に同期信号を送信する機能を備えることで、ＩＰ電話機Ａ〜Ｃ間の表示上の同期（鳴動やＬＥＤ点滅など）をとるようにした。このケースは、鳴動やＬＥＤ点滅の同期が基本的にはグループ内の電話機に限られることから、ほぼグループ内のＩＰ電話機Ａ〜Ｃを同時に収容する可能性の高いハブ装置ごとに同期を行うようにすれば十分であるケースである。これに比べ、図１６に示すようにグループ化の単位がより大きいシステムでは、上位から下位のハブ装置に向けて同期信号を分配するようにすることで、グループの規模を如何様にも拡大することができる。以上述べたようにこの実施形態では、ＩＰネットワーク２０を形成するハブ装置に同期信号を分配する機能を持たせ、ＩＰ電話機Ａ〜Ｃに対して一定周期Ｔの同期信号をグループ単位で分配する。そして報知周期の異なる複数の報知パターンを周期Ｔ内で割り切れるように、すなわち周期Ｔが各報知パターン１〜３の公倍数になるようにする。これにより第１の実施形態と同様に、着信パケットの到達がずれても鳴動パターンの同期を取ることができるようになり、ＩＰネットワークなどのベストエフォート型ネットワークにおいてもＩＰ電話機間の着信鳴動音を揃えることが可能になる。
【００３４】
なお本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３５】
【図１】この発明に係わる電話システムの第１の実施形態を示すシステム図。
【図２】図１のＩＰ電話機Ａが時刻同期サーバ３０と同期処理を行う際のＩＰネットワーク２０を介した信号の流れを示す図。
【図３】図１のＩＰ電話機Ａ〜Ｃが時刻同期処理を行っている様子を示す模式図。
【図４】この発明の第１の実施形態における着呼報知パターンの設定を示す模式図。
【図５】この発明の第１の実施形態における周期Ｔとパターンの長さとの組み合わせを示す図。
【図６】この発明の第１の実施形態におけるＩＰ電話機Ａ〜Ｃでの鳴動音の発生に係わる処理手順を示すフローチャート。
【図７】図１のＩＰ電話機Ａ〜Ｃに着信などのイベントが発生した際の鳴動音の開始タイミングを示す模式図。
【図８】比較のため既存の企業用交換システムの基本構成を示す図。
【図９】図８のシステムにおいて電話機Ａ〜Ｃへのグループ着信が生じた際の着呼報知パターンを示す図。
【図１０】ＩＰネットワーク技術を用いた企業用交換システムの基本構成を示す図。
【図１１】図１０の各ＩＰ電話機Ａ〜Ｃのそれぞれの鳴動パターンおよびＬＥＤ表示パターンの一例を示す図。
【図１２】この発明に係わる電話システムの第２の実施形態を示すシステム図。
【図１３】図１２のシステムにおいて用いられる同期信号を示す図。
【図１４】この発明の第２の実施形態における周期Ｔとパターンの長さとの組み合わせを示す図。
【図１５】この発明の第２の実施形態におけるＩＰ電話機Ａ〜Ｃでの鳴動音の発生に係わる処理手順を示すフローチャート。
【図１６】この発明の第２の実施形態における他のシステム構成を示す図。
【符号の説明】
【００３６】
１０…交換装置、２０…ＩＰネットワーク、３０…時刻同期サーバ、Ａ〜Ｃ…ＩＰ電話機、４０、５１〜５３…ハブ装置
【図１】
2006333218.tif 000003
【図２】
2006333218.tif 000004
【図３】
2006333218.tif 000005
【図４】
2006333218.tif 000006
【図５】
2006333218.tif 000007
【図６】
2006333218.tif 000008
【図７】
2006333218.tif 000009
【図８】
2006333218.tif 000010
【図９】
2006333218.tif 000011
【図１０】
2006333218.tif 000012
【図１１】
2006333218.tif 000013
【図１２】
2006333218.tif 000014
【図１３】
2006333218.tif 000015
【図１４】
2006333218.tif 000016
【図１５】
2006333218.tif 000017
【図１６】
2006333218.tif 000018